(57)【要約】【課題】各操作者に適した稼動形態に即座に設定することを可能とする。【解決手段】中央制御部１０は、操作部１２において入力されるユーザ識別情報と、各部の稼動形態を変更するパラメータ値とを受け付け、記憶部１１に記憶する。そして、認証部１３により登録ユーザが指定入力するユーザ識別情報に基づいて、上記記憶されたパラメータ値を読み出す。この読み出したパラメータ値を寝台制御部５、高電圧発生部６、保持装置制御部７及び画像処理部８にそれぞれ出力することで、登録ユーザに応じた稼動形態に設定する。【選択図】      図１
2007117637.tif 000002
【特許請求の範囲】
【請求項１】
ユーザが複数の条件のパラメータをそれぞれを選択的に指定することで稼働形態を変更可能とする医用装置であって、
前記ユーザを識別するユーザ識別情報の入力を受け付けると共に、前記パラメータの値を受け付け、前記パラメータの値を前記ユーザ識別情報に対応付けて記憶してユーザ登録する登録手段と、
前記登録手段の登録ユーザが指定入力するユーザ識別情報に基づいて前記登録手段から該当するパラメータの値を読み出し、当該パラメータを設定して登録ユーザ対応の稼働形態を選択する選択手段と
を具備することを特徴とする医用装置。
【請求項２】
前記登録ユーザを認証するユーザ認証情報の入力を受け付けて前記ユーザ識別情報に対応付けて記憶し、前記登録ユーザが前記ユーザ識別情報を指定入力する際に前記ユーザ認証情報を要求し、その要求に応じて入力されるユーザ認証情報もとに登録ユーザを認証する認証手段をさらに備え、
前記選択手段は、前記認証手段によりユーザ認証された場合に、前記登録ユーザに該当するパラメータの値の読み出しを実行することを特徴とする請求項１記載の医用装置。
【請求項３】
前記認証手段は、前記ユーザ認証情報として生体情報を用いることを特徴とする請求項２記載の医用装置。
【請求項４】
無線通信端末と接続される場合に、前記認証手段は、前記無線通信端末から無線回線を介して伝送されるユーザ認証情報を受信して、前記受信されたユーザ認証情報をもとに登録ユーザを認証することを特徴とする請求項２記載の医用装置。
【請求項５】
前記選択手段は、前記認証手段において認証エラーとなった場合に、予め登録されている初期設定用のパラメータを読み出すことを特徴とする請求項２記載の医用装置。
【請求項６】
稼働中に前記パラメータの操作結果を取得するパラメータ取得手段をさらに具備し、前記登録手段は、前記パラメータ取得手段により取得されたパラメータの操作結果を前記ユーザ識別情報に対応付けて記憶することを特徴とする請求項１記載の医用装置。
【請求項７】
前記登録手段は、前記登録ユーザによる前記パラメータの操作履歴を記憶しておき、前記操作履歴に基づいて記憶されたパラメータの値を調整することを特徴とする請求項１記載の医用装置。
【発明の詳細な説明】
【技術分野】
【０００１】
この発明は、例えばＸ線診断装置のような医用装置に係わり、特に、パラメータに応じて稼働形態を変更可能とする医用装置に関する。
【背景技術】
【０００２】
従来、Ｘ線診断装置では、各施設ごと、または各検査プロトコルごとに、スイッチの操作応答性、保持装置の速度、干渉制御、画質パラメータ等をカスタマイズすることができる。（例えば、特許文献１を参照。）。
【０００３】
しかしながら、このような医用装置は、通常、複数の医師又は技師により使用される。このため、装置に精通している担当技師や当直等の不慣れな操作者など、操作者によって熟練度が異なり、また画質についても好みが様々であるため、従来のように施設ごと、もしくは検査プロトコルごとの設定では、ユーザに適した設定でシステムを使用することができない。
【特許文献１】特開２００４−１５４５６０公報
【発明の開示】
【発明が解決しようとする課題】
【０００４】
上述したように、医用装置は、通常、複数の医師又は技師により使用されるため、操作者によって、適する装置の稼動形態が異なるため、操作者が替わる度にマニュアル操作でパラメータ値を変更する必要があった。このため、診断の準備に時間と手間がかかり、被検体となる患者にも負担がかかっていた。
【０００５】
この発明は上記事情に着目してなされたもので、その目的とするところは、各操作者に適した稼動形態に即座に設定することを可能とする医用装置を提供することにある。
【課題を解決するための手段】
【０００６】
上記目的を達成するためにこの発明に係わる医用装置は、ユーザが複数の条件のパラメータをそれぞれを選択的に指定することで稼働形態を変更可能とする医用装置であって、前記ユーザを識別するユーザ識別情報の入力を受け付けると共に、前記パラメータの値を受け付け、前記パラメータの値を前記ユーザ識別情報に対応付けて記憶してユーザ登録する登録手段と、前記登録手段の登録ユーザが指定入力するユーザ識別情報に基づいて前記登録手段から該当するパラメータの値を読み出し、当該パラメータを設定して登録ユーザ対応の稼働形態を選択する選択手段とを具備するものである。
【０００７】
上記構成による医用装置では、ユーザ識別情報と、ユーザにより選択指定されるパラメータ値とを対応付けて記憶しておき、登録ユーザが指定入力するユーザ識別情報に基づいて上記記憶されたパラメータ値を読み出し、当該パラメータを設定して登録ユーザ対応の稼動形態を選択する。これにより、ユーザごとに適したパラメータ値が即座に設定されるため、診断の準備にかかる時間を短縮することができる。
【０００８】
また、この発明の医用装置は、次のような各種構成を備えることも特徴とする。  
第１の構成は、前記登録ユーザを認証するユーザ認証情報の入力を受け付けて前記ユーザ識別情報に対応付けて記憶し、前記登録ユーザが前記ユーザ識別情報を指定入力する際に前記ユーザ認証情報を要求し、その要求に応じて入力されるユーザ認証情報もとに登録ユーザを認証する認証手段をさらに備え、前記選択手段は、前記認証手段によりユーザ認証された場合に、前記登録ユーザに該当するパラメータの値の読み出しを実行する。
【０００９】
第２の構成は、前記認証手段は、前記ユーザ認証情報として生体情報を用いることを特徴とする。  
生体情報として、例えば、指紋や虹彩、静脈パターン、又は声紋などを用い、予め記憶されたユーザの生体情報と、利用時に認証手段から入力される生体情報とを照合して本人であるかどうかを確認する。もちろん従来のパスワード方式やＩＣカードなどの証明書を使った認証方式も適用可能である。
【００１０】
第３の構成は、無線通信端末と接続される場合に、前記認証手段は、前記無線通信端末から無線回線を介して伝送されるユーザ認証情報を受信して、前記受信されたユーザ認証情報をもとに登録ユーザを認証するようにする。  
このようにすると、例えば、近距離無線データ通信方式の一つであるBluetooth（登録商標）等の無線インタフェースを備えた携帯通信端末を用いてユーザ認証を行うことが可能となる。
【００１１】
第４の構成は、前記選択手段は、前記認証手段において認証エラーとなった場合に、予め登録されている初期設定用のパラメータを読み出すことを特徴とする。  
例えば、予め初期設定用には、操作に不慣れなユーザに適したパラメータを設定しておくことで、未登録ユーザが該装置を使用するような場合にも安全に操作することができる。
【００１２】
第５の構成は、稼働中に前記パラメータの操作結果を取得するパラメータ取得手段をさらに具備し、前記登録手段は、前記パラメータ取得手段により取得されたパラメータの操作結果を前記ユーザ識別情報に対応付けて記憶する。  
このように構成することにより、マニュアル操作で変更された稼動形態におけるパラメータ値を簡単に登録することが可能となる。
【００１３】
第６の構成は、前記登録手段は、前記登録ユーザによる前記パラメータの操作履歴を記憶しておき、前記操作履歴に基づいて記憶されたパラメータの値を調整するようにする。  
例えば、ユーザの操作履歴から熟練度を求め、この熟練度から上記記憶されたパラメータ値を調整する。このようにすると、ユーザの操作能力に応じたパラメータ値が自動的に設定されるようになる。
【発明の効果】
【００１４】
したがってこの発明によれば、各操作者に適した稼動形態に即座に設定することを可能とする医用装置を提供することができる。
【発明を実施するための最良の形態】
【００１５】
以下、本発明の実施の形態について、Ｘ線診断装置を例に挙げて、図面を参照しながら詳細に説明する。  
図１は、この実施形態に係わるＸ線診断装置１００のブロック構成図を示している。同図に示すように、本Ｘ線診断装置１００は、Ｃアーム機構１、Ｘ線管球２、Ｘ線検出器３、寝台機構４、寝台制御部５、高電圧発生部６、保持装置制御部７、画像処理部８、表示部９、中央制御部１０、記憶部１１、操作部１２、認証部１３を備えている。
【００１６】
Ｘ線管球２及びＸ線検出器３は、Ｃアーム機構１により保持される。このＣアーム機構３は、回転機構と、スライド機構とを備え、これらの機構を保持装置制御部７により駆動制御することで、寝台機構４の移動可能な寝台に載置されている被検体に対して、Ｘ線管球２及びＸ線検出器３が自由な撮影姿勢をとることができる。寝台機構４は、寝台制御部５からの制御により被検体を搭載したまま起倒及び位置決め動作可能な機構を有する。
【００１７】
Ｘ線管球２は、Ｘ線を発生する真空管であり、高電圧発生部６からの高電圧により電子を加速させ、ターゲットに衝突させることでＸ線を発生する。
【００１８】
Ｘ線検出器３は、例えばシンチレータとフォトダイオードアレイとを有するフラットパネルデテクタにより構成され、被検体を透過したＸ線を光電膜に当てることで電子正孔を生成し、これを半導体スイッチにおいて蓄積し、電気信号として読み出すことでＸ線信号を検出するものである。
【００１９】
画像処理部８は、Ｘ線検出部３から出力されるアナログの映像信号を、ディジタル信号に変換し、フレーム毎に必要に応じてサブトラクション処理等の所定の画像処理を行う。
【００２０】
表示部９は、後述する画像処理部８から受け取った信号により、Ｘ線診断画像等を表示するＣＲＴ、プラズマディスプレイ、液晶ディスプレイ等の表示装置である。また、中央制御部１０の制御の下、図２に示すようなパラメータ設定画面を表示する。
【００２１】
操作部１２は、キーボードや各種スイッチ、マウス等を備えた入力装置であり、患者情報（患者ＩＤ、検査部位、検査目的等）の入力、撮影指示、パルスレート選択、画像選択等を入力する際に使用される。表示部９に表示されるパラメータ設定画面によりパラメータ値を入力する際に使用される。
【００２２】
記憶部１１は、中央制御部１０の制御の下、上記画像処理部８での画像処理前又は処理後の画像データ等を記憶する。また、記憶部１１は、後述するパラメータの設定機能を実現するための専用プログラムを記憶する。さらに、記憶部１１は、ユーザ識別情報に対応付けてパラメータに記憶する。
【００２３】
中央制御部１０は、画像データの収集に関する制御、及び収集した画像データの画像処理、画像再生処理等に関する制御を行う中央処理装置である。特に、中央制御部１０は、後述するパラメータの設定機能の動的制御機能に関する処理を実行する。
【００２４】
認証部１３は、ユーザの身体的特徴による生体認証（バイオメトリクス）を行う。生体情報としては、例えば、指紋や虹彩、静脈パターン、又は声紋などが用いられ、予め記憶部１１に記憶されたユーザの生体情報と、利用時に認証部１３から入力される生体情報とを照合して本人であるかどうかを確認する。もちろん従来のパスワード方式やＩＣカードなどの証明書を使った認証方式も適用できる。
【００２５】
次に、このように構成されたＸ線診断装置１００の動作について説明する。  
（パラメータ登録処理）  
図３は、Ｘ線診断装置１００のパラメータ登録処理手順とその内容を示すフローチャートである。図３において、操作部１２又は各装置に設けられる操作パネルからマニュアル操作によるＸ線画像撮影動作が行われているものとする（ステップＳ３ａ）。この状態で、ユーザによりパラメータの登録操作を受け付ける（ステップＳ３ｂ）。そうすると、中央制御部１０は、寝台制御部５、高電圧発生部６、保持装置制御部７及び画像処理部８から現在設定されているパラメータそれぞれの値を取得し、前記図２に示すようなパラメータ設定画面を表示する（ステップＳ３ｃ）。また、このパラメータ設定画面によりパラメータ値を選択入力することも可能である。そして、上記パラメータ値を操作部１２において指定入力されるユーザ識別情報（ユーザＩＤや生体情報など）に対応付けて記憶部１１に記憶する。
【００２６】
（パラメータ呼出処理）  
図４は、Ｘ線診断装置１００のパラメータ呼出処理手順とその内容を示すフローチャートである。図４において、まず、ユーザは、認証部１３にユーザ識別情報を入力してユーザ認証を行い、この認証結果が認証部１３から中央制御部１０に通知される（ステップＳ４ａ）。そして、記憶部１１にアクセスして、該ユーザが登録されているか否かを判定する（ステップＳ４ｂ）。上記判定において該ユーザが登録済みであれば、記憶部１１からこのユーザに該当するパラメータ値を読み出す。
【００２７】
一方、上記判定において該ユーザが登録されていない場合には、記憶部１１から初期パラメータ値を読み出す（ステップＳ４ｄ）。この初期パラメータ値には、例えば、操作の安全性に配慮して、不慣れな操作者に適したパラメータ値を設定しておくとよい。そして、中央制御部１０は、上記読み出したパラメータ値を寝台制御部５、高電圧発生部６、保持装置制御部７及び画像処理部８にそれぞれ出力する。
【００２８】
以上述べたようにこの実施形態では、中央制御部１０は、操作部１２において入力されるユーザ識別情報と、各部の稼動形態を変更するパラメータ値とを受け付け、記憶部１１に記憶する。そして、認証部１３により登録ユーザが指定入力するユーザ識別情報に基づいて、上記記憶されたパラメータ値を読み出す。この読み出したパラメータ値を寝台制御部５、高電圧発生部６、保持装置制御部７及び画像処理部８にそれぞれ出力することで、登録ユーザ対応の稼動形態に設定するものである。
【００２９】
したがってこの実施形態によれば、各ユーザに適した稼動形態に即座に設定されるため、ユーザごとに適したパラメータ値が即座に設定されるため、診断の準備にかかる時間を短縮することができる。
【００３０】
なお、この発明は、上記実施形態に限定されるものではない。上記実施形態では、医用装置としてＸ線診断装置１００を例に挙げて説明したが、これに限らず、ＭＲＩ装置、Ｘ線ＣＴ装置、核医学診断装置、超音波診断装置のような他の医用装置にも適用することができる。
【００３１】
また、認証部１３に無線通信インタフェースを備え、無線通信端末と接続可能な場合には、無線通信端末から無線回線を介して送信されるユーザ認証情報を受信して、受信されたユーザ認証情報をもとに登録ユーザを認証するように構成してもよい。無線通信方式としては、例えばBluetooth（登録商標）等の近距離データ通信方式が使用される。他にも、赤外線通信方式や無線ＬＡＮ通信方式等を使用することが可能であり、認証部１３と無線通信端末と間をケーブルを介して接続するようにしてもよい。
【００３２】
さらに、ユーザによるパラメータの操作履歴を記憶部１１に記憶しておき、この操作履歴に基づいて記憶部１１に記憶されている該ユーザのパラメータの値を調整するようにすることもできる。例えば、ユーザの操作履歴から熟練度を求め、この熟練度から上記記憶されたパラメータ値を調整する。このようにすると、ユーザの操作能力に応じたパラメータ値が自動的に設定されるようになる。
【００３３】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３４】
【図１】この発明に係るＸ線診断装置の一実施形態を示すブロック構成図。
【図２】パラメータ設定の画面の一例を示す図。
【図３】図１に示すＸ線診断装置におけるパラメータ設定処理の手順とその内容を示すフローチャート。
【図４】図１に示すＸ線診断装置におけるパラメータ呼出処理の手順とその内容を示すフローチャート。
【符号の説明】
【００３５】
１…Ｃアーム機構、２…Ｘ線管球、３…Ｘ線検出器、４…寝台機構、５…寝台制御部、６…高電圧発生部、７…保持装置制御部、８…画像処理部、９…表示部、１０…中央制御部、１１…記憶部、１２…操作部、１３…認証部。
【図１】
2007117637.tif 000003
【図２】
2007117637.tif 000004
【図３】
2007117637.tif 000005
【図４】
2007117637.tif 000006